【事件の表示】
　特願２００１−　４６４０７「画像形成装置及び方法」拒絶査定不服審判事件〔平成１４年　８月２８日出願公開、特開２００２−２４０４０２〕について、次のとおり審決する。
【結　論】
　本件審判の請求は、成り立たない。
【理　由】
 　
第１．手続の経緯
　本願は、平成１３年２月２２日の出願であって、平成１９年６月２２日付けで手続補正がなされ、平成２０年５月２８日付けで拒絶査定がなされ、これに対し、同年７月７日付けで拒絶査定に対する審判請求がなされるとともに、同年８月６日付けで明細書に係る手続補正がなされたものである。
　さらに、審査官により作成された前置報告書について審尋がなされたところ、審判請求人から平成２２年３月４日付けで回答書が提出されたものである。
　
　
第２．平成２０年８月６日付けの手続補正についての補正却下の決定
［補正却下の決定の結論］
　平成２０年８月６日付けの手続補正（以下「本件補正」という。）を却下する。
　
［理由］
１．補正の内容
　本件補正は、特許請求の範囲を補正する内容を含んでおり、本件補正により、特許請求の範囲の請求項１は、
「　画像情報とこれに関連する付帯情報を印刷媒体に形成するための、画像形成装置であって、
　上記画像情報を受け取るとともに、当該画像情報に関連して読み込まれる付属情報又は当該画像情報に対して入力操作手段により入力され若しくは選択指定された付加情報を含む上記付帯情報を取得するための情報取得手段と、
　上記画像情報を上記印刷媒体に印刷形成するとともに、画像印刷がなされた印刷媒体の表面をフィルム状シートで被覆して転移させるための転写ヘッドを含む印刷手段と、
　上記付帯情報にγ変換を施すγ変換手段を有し、
　上記γ変換手段によりγ変換を施された上記付帯情報に応じて上記転写ヘッドの印加エネルギーを制御して、上記フィルム状シートの表面光沢に差異を生じさせることにより、上記付帯情報を当該シート上に透かし状に形成する制御手段とを設けた
　ことを特徴とする画像形成装置。」
から
「　画像情報とこれに関連する付帯情報を印刷媒体に形成するための、画像形成装置であって、
　上記画像情報を受け取るとともに、当該画像情報に関連して読み込まれる付属情報又は当該画像情報に対して入力操作手段により入力され若しくは選択指定された付加情報を含む上記付帯情報を取得するための情報取得手段と、
　上記画像情報を上記印刷媒体に印刷形成するとともに、画像印刷がなされた印刷媒体の表面をフィルム状シートで被覆して転移させるための転写ヘッドを含む印刷手段と、
　上記付帯情報にγ変換を施すγ変換手段を有し、
　上記γ変換手段によりγ変換が施された上記付帯情報をシート上に印画する時にはそれ以外の場所に印加する印加エネルギーとは異なる所定の印加エネルギーとなるように制御して付帯情報をシート上に透かし状に形成する制御手段とを設けた
　ことを特徴とする画像形成装置。」
に補正された。
　
　
２．目的要件違反について
　上記請求項１に係る補正は、補正前の「上記γ変換手段によりγ変換を施された上記付帯情報に応じて上記転写ヘッドの印加エネルギーを制御して、上記フィルム状シートの表面光沢に差異を生じさせることにより、上記付帯情報を当該シート上に透かし状に形成する制御手段」を、補正後の「上記γ変換手段によりγ変換が施された上記付帯情報をシート上に印画する時にはそれ以外の場所に印加する印加エネルギーとは異なる所定の印加エネルギーとなるように制御して付帯情報をシート上に透かし状に形成する制御手段」とするものであるから、「印加エネルギー」に関して、「付帯情報をシート上に印画する時にはそれ以外の場所に印加する印加エネルギーとは異なる所定の印加エネルギーとなるように」と限定が加わったものの、「上記フィルム状シートの表面光沢に差異を生じさせることにより（付帯情報をシート上に透かし状に形成する）」との記載が削除されている。
　
　「上記フィルム状シートの表面光沢に差異を生じさせることにより」を削除する補正は、「発明を特定するために必要と認める事項」を削除したことによって、特許請求の範囲を拡張するものといえるから、平成１８年法律第５５号改正附則第３条第１項によりなお従前の例によるとされる同法による改正前の特許法第１７条の２第４項各号に掲げる事項を目的とする補正のいずれにも該当しない。
　
　したがって、本件補正は、上記改正前の特許法第１７条の２第４項の規定に違反しているので、本件補正は、特許法第１５９条第１項において読み替えて準用する特許法第５３条第１項の規定により却下されるべきものである。
　
３．独立特許要件について（予備的判断）
　以上述べたとおり、本件補正は、平成１８年法律第５５号改正附則第３条第１項によりなお従前の例によるとされる同法による改正前の特許法第１７条の２第４項に違反しているものであり、請求人は、平成２０年８月６日付けで補正された審判請求書の請求の理由、及び、平成２２年３月４日付け回答書において、補正の目的について何ら主張を行っていない。
　しかしながら、本件補正における「上記フィルム状シートの表面光沢に差異を生じさせることにより」との記載の削除は、本件補正により追加された「付帯情報をシート上に印画する時にはそれ以外の場所に印加する印加エネルギーとは異なる所定の印加エネルギーとなるように制御して付帯情報をシート上に透かし状に形成する」構成に伴う作用効果に関する記載を削除したものであって、当該作用効果に関する記載を削除したとしても実質的に特許請求の範囲を拡張もしくは変更するものではない、との主張が成り立つ可能性もある。
　そこで、本件補正が、平成１８年法律第５５号改正附則第３条第１項によりなお従前の例によるとされる同法による改正前の特許法第１７条の２第４項第２号の「特許請求の範囲の減縮」を目的とするものに一応該当するとして、下記の当該補正後の請求項１に記載された発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について予備的に検討しておく。
　
（本願補正発明）
「　画像情報とこれに関連する付帯情報を印刷媒体に形成するための、画像形成装置であって、
　上記画像情報を受け取るとともに、当該画像情報に関連して読み込まれる付属情報又は当該画像情報に対して入力操作手段により入力され若しくは選択指定された付加情報を含む上記付帯情報を取得するための情報取得手段と、
　上記画像情報を上記印刷媒体に印刷形成するとともに、画像印刷がなされた印刷媒体の表面をフィルム状シートで被覆して転移させるための転写ヘッドを含む印刷手段と、
　上記付帯情報にγ変換を施すγ変換手段を有し、
　上記γ変換手段によりγ変換が施された上記付帯情報をシート上に印画する時にはそれ以外の場所に印加する印加エネルギーとは異なる所定の印加エネルギーとなるように制御して付帯情報をシート上に透かし状に形成する制御手段とを設けた
　ことを特徴とする画像形成装置。」
　
（１）刊行物に記載された発明
（刊行物１について）
　これに対して、原査定の拒絶の理由に引用文献１として引用され、本願の出願日前である平成９年１２月１２日に頒布された、特開平９−３２２１０２号公報（以下「刊行物１」という。）には、次の事項が記載されている。（下線は審決で付した。以下同じ。）
　
（１−ａ）「【請求項１】  
画像読取装置から画像データおよび文字データを入力する入力手段と
該入力した画像データおよび文字データを記憶するデータ記憶手段と
該記憶された画像データおよび文字データを表示する表示手段とを備えた画像処理装置において
前記表示される画像データ上に前記文字データの貼り付け位置を指定する貼付位置指定手段と、
該指定された貼り付け位置を記憶する貼付位置記憶手段と、
該記憶された貼り付け位置にしたがって、
前記文字データを前記画像データに貼り付ける貼付手段と
該文字データが貼り付けられた画像データを印刷する印刷手段とを備えたことを特徴とする画像処理装置
　　
（１−ｂ）「【０００１】
【発明の属する技術分野】本発明は、
カメラなどの画像読取装置から画像データおよび日付などの文字データを入力して表示あるいは印刷を行う画像処理装置
【０００２】
【従来の技術】従来、スチルカメラの分野では日付入りカメラが周知であり、そのほとんどは画面の右下に日付が写し込まれる方式を採用していた。
【０００３】
【発明が解決しようとする課題】しかしながら、写し込まれる日付の文字色はほとんど橙色であるので、背景となる写真そのものが同系色の場合、日付が識別できなくなることがあった。
【０００４】また、
構図上、日付の位置に大事な物が写っている場合、日付が障害となってせっかくの写真が価値のないものになってしまう場合があった
【０００５】そこで、本発明は、写真の中に日付などの文字データを入れる場合、日付の色や位置を自由に選択できる画像処理装置および方法を提供することを目的とする。」
　　
（１−ｃ）「【００１３】
【発明の実施の形態】本発明の画像処理装置および方法の実施の形態について説明する。図１は実施の形態における画像処理装置の構成を示すブロック図である。図において、１は中央処理装置（ＣＰＵ）であり、バスライン（ＢＬ）６を通じて接続された各部を制御する。
【００１４】２はキーボード（ＫＢ）であり、カーソル移動、一般的な文字入力および写真画像編集処理のためのキーを有する。３は表示装置（ＬＣＤ）であり、表示用書き込み専用メモリである揮発性メモリ（ＶＲＡＭ）４に書き込まれた写真画像データを表示する。
【００１５】５は外部記憶装置としてのフロッピーディスク（ＦＤ）であり、取り込んだ画像データや文字データなどを記憶する。７は画像を印刷するカラープリンタ（ＰＲＴ）である。
【００１６】８は読出専用メモリ（ＲＯＭ）であり、ＣＰＵ１によって実行されるプログラムを格納するプログラム領域（ＰＲＧ）８ａおよび数字などの文字パターンを格納するフォント領域（ＦＯＮＴ）８ｂを有する。
【００１７】９は書き込み可能なメモリ（ＲＡＭ）であり、不揮発性メモリからなる。ＲＡＭ９の内部はいくつかに分割され、各々固有の目的のために使用される。ＲＡＭ９には、プログラムを動作させるために使用するワークエリア（ＷＯＲＫ）９ａ、写真画像データを記憶する画像データ領域（ＩＭＡＧＥ）９ｂ、カメラから取り込んだ文字データをコードとして記憶するコード領域（ＤＡＴＥ）９ｃ、コード領域９ｃに記憶されたコードの色情報を記憶する色情報領域（ＣＯＬＯＲ）９ｄ、およびコード領域９ｃに記憶されたコードの文字フォントデータを写真画像上に貼り付ける位置を記憶する貼付位置領域（ＰＯＳＩＴ）９ｅが割り当てられている。
【００１８】この画像処理装置では複数の画像が取り込めるので、上記ＲＡＭ９には複数の画像のそれぞれに画像データ領域（ＩＭＡＧＥ）９ｂ、コード領域（ＤＡＴＥ）９ｃ、色情報領域（ＣＯＬＯＲ）９ｄおよび貼付位置領域（ＰＯＳＩＴ）９ｅが割り当てられている。
【００１９】図２は画像データ領域（ＩＭＡＧＥ）９ｂ、コード領域（ＤＡＴＥ）９ｃ、色情報領域（ＣＯＬＯＲ）９ｄおよび貼付位置領域（ＰＯＳＩＴ）９ｅの構成を示す説明図である。ＩＭＡＧＥ（１）に記憶された画像データに対応する文字データのコードはＤＡＴＥ（１）に記憶されており、その色や貼り付け位置はそれぞれＣＯＬＯＲ（１）、ＰＯＳＩＴ（１）に記憶されている。
【００２０】
１０は画像読取装置（ＣＡＭＥＲＡ）であり、一般的な電子カメラあるいはイメージリーダである
画像読取装置１０は、画像を取り込む機能の他に日付などの文字データをコードとして入力できる機能を有する
【００２１】図３はＣＰＵ１によって実行される画像処理装置の動作処理手順を示すフローチャートである。まず、画像読取装置１０から画像データおよび文字データを取り込み、それぞれＲＡＭ９の画像データ領域（ＩＭＡＧＥ）９ｂおよびコード領域（ＤＡＴＥ）９ｃに記憶する（ステップＳ１）。
【００２２】つづいて、画像データを揮発性メモリ４に書き込んで表示装置３に表示する（ステップＳ２）。図４はカーソルおよび日付が表示された表示装置３の画面を示す説明図である。同図（Ａ）には揮発性メモリ４に書き込まれた画像データの表示画面上にカーソル１２が示されている。
【００２３】
文字データを貼り付ける位置をカーソル１２を移動させて決定する
【００２４】つづいて、
文字の色を決定する
【００２５】ＣＰＵ１は、コード領域（ＤＡＴＥ）９ｃに格納されている文字コードにしたがってフォント領域（ＦＯＮＴ）８ｂをアクセスし、対応する文字パターンをステップＳ３で決定された貼り付け位置にステップＳ４で決定された文字色で画像の上に貼り付ける（ステップＳ５）。即ち、
画像に文字パターンを重ねてでき上がった画像を改めて画像データ領域
９ｂに記憶し直して表示する
上記処理工程により仕上がった画像をカラープリンタ７で印刷することにより文字データ付きの画像が印刷される
【００２６】尚、
本実施の形態では、文字データが日付データだけである場合を示したが、文字データとしてはカメラを使う際のシャッタースピードや絞り情報、あるいはレンズの焦点距離情報などであってもよい
【００２７】また、上記実施の形態では、画像読取装置をオンラインで画像処理装置本体に繋げていたが、スチルカメラの場合、オンラインで繋いでおくと機動性がよくないので、スチルカメラはあくまで本体から切り離されたオフラインで使用するようにしたい。その場合、
スチルカメラに磁気ディスク、磁気カード、光カードなどの電子メディアを搭載し、本体には電子メディアの受け入れ口を用意して電子メディアに記憶された情報を読み取れるようにする
この電子メディアには、画像データの他、日付などの文字データをコードとして記憶させてお
　　
（１−ｄ）図１として、
「
 
」
　
　上記の事項を総合すると、刊行物１には、次の発明（以下「刊行物１発明」という。）が開示されていると認められる。
　
「　画像読取装置から画像データおよび日付などの文字データを入力する入力手段と、
　該入力した画像データおよび日付などの文字データを記憶するデータ記憶手段と、
該記憶された画像データおよび日付などの文字データを表示する表示手段とを備えた画像処理装置において、
　前記文字データを貼り付ける位置、及び、文字の色を決定して、前記文字データを前記画像データに貼り付ける貼付手段と、
　該文字データが貼り付けられた画像データを印刷する印刷手段とを備えた、
　画像処理装置。」
　
　
（刊行物２について）
　また、原査定の拒絶の理由に引用文献３として引用され、本願の出願日前である平成７年２月２８日に頒布された、特開平７−５２４２８号公報（以下「刊行物２」という。）には、次の事項が記載されている。
　
（２−ａ）「【０００２】
【産業上の利用分野】本発明は
印刷装置に関し、例えばカード状印刷媒体にカラー画像を印刷するカード印刷装置に適用して好適なものである
【０００３】
【従来の技術】従来、
カード状の印刷媒体に染料熱転写方式でカラー画像を印刷するカード印刷装置がある
　
（２−ｂ）「【０００５】例えば銀行カードやクレジツトカード等においては、カード表面のラミネート上にホログラムを配して容易に偽造や改ざんができないように工夫されたものがあり、高いセキユリテイ性を有するカードが実現されている。従つてカード印刷装置を用いてＩＤカードを印刷する際にも、容易に偽造や改ざんができないようなＩＤカードを印刷できれば、カード印刷装置としての有用性を格段的に向上し得ると考えられる。また
ＩＤカードに限らず一般的なカード印刷装置では、プリントサンプルの風格を高めるために、例えば銀塩写真でのマツト処理のような加工を施すことができれば、カード自体の意匠的効果を向上し得ると考えられる
【０００６】本発明は以上の点を考慮してなされたもので、簡易な構成で印画面上に形成したラミネートで偽造や改ざんを防止すると共に意匠的効果を向上し得る印刷装置を提案しようとするものでるある。
【０００７】
【課題を解決するための手段】かかる課題を解決するため本発明においては、
インクリボン６２上に配された色インクＹ、Ｍ、Ｃ、Ｋで所定の印刷媒体３７の印画面上に所定の印刷を行うと共に、インクリボン６２上に色インクＹ、Ｍ、Ｃ、Ｋに続いて配されたフイルム状シートＦを熱転写ヘツド４８で印画面上に転写する印刷装置２０において、フイルム状シートＦを熱転写ヘツド４８で転写する際に、１印画面分の印刷パターンを記憶するメモリ手段８６を設け、熱転写ヘツド４８でフイルム状シートＦに印刷パターンを形成しながらで印刷媒体３７の印画面上を覆うようにした
【０００８】
【作用】熱転写ヘツド４８でフイルム状シートＦに、メモリ手段８６に記憶された１印画面分の印刷パターンを形成しながら印刷媒体３７の印画面上を覆うようにしたことにより、簡易な構成で印画面上に形成したラミネートで偽造や改ざんを防止すると共に意匠的効果を向上し得る。」
　
（２−ｃ）「【００２７】（２）実施例のカード印刷装置
ここでこの実施例のカード印刷装置２０においては、カード３７として入出者の識別等に使用するＩＤカード３７を印刷し得るようになされ、印画面として入出者の氏名や顔写真等が印刷される。またこのＩＤカード３７の印画面上は所定の文字の繰り返しパターン等が透かし模様状に配されたフイルム状シートでラミネートされている。
【００２８】この実施例の場合インクリボン６２は、図５に示すように、１頁分の染料としてそれぞれ所定の長さで塗布されたイエローＹ、マゼンタＭ及びシアンＣの各色染料に続いて、フイルム状シートＦが配されている。これによりこのカード印刷装置２０ではフイルム状シートＦを熱転写ヘツド４８でＩＤカード３７の印画面上に転写してラミネートする。
【００２９】またこのとき熱転写ヘツド４８でフイルム状シートＦに所定の文字の繰り返しパターン等を印刷することにより、印刷された繰り返しパターンでフイルム状シートＦに透かし模様が形成され、このフイルム状シートＦをラミネートすることにより、容易に印画面の情報を偽造や改ざんができず高いセキユリテイ性を有するＩＤカード３７を印刷し得る。
【００３０】実際上このカード印刷装置２０は、図６に示すような回路ブロツクで構成されいる。すなわちホストコンピユータ（図示せず）より入力される印刷データＳ１は、各色毎に１印画面分の容量を有するフレームメモリ８０（８０Ｙ、８０Ｍ、８０Ｃ、８０Ｋ）に色別に一旦書き込まれる。この書込みは、バスでＣＰＵ８１に接続されたメモリコントローラ８２を通じて、ＣＰＵ８１より制御される。
【００３１】このフレームメモリ８０に書き込まれた印刷データＳ１は、メモリコントローラ８２によつて所定のタイミングで読み出され、このうちイエロー、マゼンタ及びシアンにそれぞれ対応する色印刷データＳＹ、ＳＭ、ＳＣが各色毎の色調整回路８３（８３Ｙ、８３Ｍ、８３Ｃ）で印刷に応じた色調整され、マスキング回路８４を通じてセレクタ８５に入力される。またフレームメモリ８０に書き込まれた黒色用の色印刷データＳＫは、色調整やマスキングの必要がないことにより、所定のタイミングで読み出され、そのままセレクタ８５に送出される。
【００３２】さらに
この実施例のカード印刷装置２０では、フレームメモリ８０と同様に１印画面分の記憶容量を有するラミネートメモリ８６を有し、フイルム状シートＦに形成する所定の文字の繰り返しパターン等を表すラミネート印刷データＳＦが一旦書き込まれる
ラミネートメモリ８６もフレームメモリ８０と同様にメモリコントローラ８２によつて制御される
ラミネートメモリ８６に書き込まれたラミネート印刷データＳＦは
そのままセレクタ８５に送出される
【００３３】
セレクタ８５はＣＰＵ８１の制御によつて
イエロー、マゼンタ及びシアンにそれぞれ対応する色印刷データＳＹ、ＳＭ、ＳＣ、黒色用の色印刷データＳＫ、ラミネート印刷データＳＦを順次選択して印刷出力データＳ２としてγ補正回路８７に送出する
γ補正回路８７はＣＰＵ８１の制御に基づいて設定された熱補正係数によつて、濃度通電時間変換すなわちγ補正を行い、この結果得られる印刷出力データＳ３がサーマルヘツドコントローラ８８で印画エネルギーＳ４に変換され、熱転写ヘツド４８で印刷される
【００３４】以上の構成において、このカード印刷装置２０の場合、ホストコンピユータ側から所定の印画面を表す印刷データＳ１として、イエロー、マゼンタ、シアン及び黒の色印刷データＳＹ、ＳＭ、ＳＣ、ＳＫ、ラミネート印刷データＳＦが順次入力される。このうち色印刷データはそれぞれの色に対応するフレームメモリ８０（８０Ｙ、８０Ｍ、８０Ｃ、８０Ｋ）に書き込まれ、ラミネート印刷データＳＦはラミネートメモリ８６に書き込まれる。
【００３５】フレームメモリ８０、ラミネートメモリ８６に書き込まれた印刷データＳＹ、ＳＭ、ＳＣ、ＳＫ、ＳＦは必要に応じて色調整されると共にマスキングされ、セレクタ８５に送出される。セレクタ８５では色印刷順序に応じて、
色印刷データＳＹ、ＳＭ、ＳＣ、ＳＫ及びラミネート印刷データＳＦの順にγ補正すると共に、印画エネルギーに変換し熱転写ヘツド４８に供給する
【００３６】これによりこのカード印刷装置２０では、例えば入出者の識別情報として氏名や顔写真等をカラー印刷すると共に、所定の文字の繰り返しパターン等が透かし模様状に配されたフイルム状シートＦでラミネートしたＩＤカード３７を印刷し得るようになされている。このようにＩＤカード３７を透かし模様が配されたフイルム状シートＦでラミネートすることにより、新たにラミネートメモリ８６を設けた簡易な構成で、容易に偽造や改ざんができず高いセキユリテイ性を有するＩＤカード３７を印刷できる。
【００３７】以上の構成によれば、フイルム状シートＦを熱転写ヘツド４８で転写する際に、ラミネートメモリ８６に書き込まれたラミネート印刷データで熱転写ヘツド４８を駆動しながら転写するようにしたことにより、ラミネート印刷データＳＦに応じた印刷パターンが形成されたフイルム状シートＦでＩＤカード３７をラミネートすることができ、偽造や改ざんが困難で高いセキユリテイ性を有するＩＤカード３７を容易に印刷し得るカード印刷装置２０を実現できる。
【００３８】（３）他の実施例
なお上述の実施例においては、
ラミネート印刷データとして所定の文字の繰り返しパターン等で透かし模様を形成したフイルム状シートでカードをラミネートして高いセキユリテイ性を得るようにしたが、ラミネート印刷データはこれに限らず、例えば市松模様や所定の凹凸模様等でも良く、このようにすれば、印画面上に銀塩写真でのマツト処理のような加工を施すことができ、カード自体の意匠的効果を向上し得る
　
（２−ｄ）図６として、
「
 
」
　
（２−ｅ）図７として、
「
 
」
　　　
　上記の事項を総合すると、刊行物２には、次の発明（以下「刊行物２発明」という。）が開示されていると認められる。
　
「　インクリボン上に配された色インクＹ、Ｍ、Ｃ、Ｋで所定の印刷媒体の印画面上に所定の印刷を行うと共に、インクリボン上に色インクＹ、Ｍ、Ｃ、Ｋに続いて配されたフイルム状シートを熱転写ヘツドで印画面上に転写する印刷装置において、
　フイルム状シートを熱転写ヘツドで転写する際に、１印画面分の印刷パターンを記憶するラミネートメモリと、
　ＣＰＵの制御に基づいて設定された熱補正係数によつて、濃度通電時間変換すなわちγ補正を行う、γ補正回路とを設け、
　前記ラミネートメモリに所定の文字の繰り返しパターン等を表すラミネート印刷データを書き込んだ後、該ラミネート印刷データは、前記γ補正回路に送出され、該γ補正回路によりγ補正され、その結果得られる印刷出力データがサーマルヘッドコントローラによって印画エネルギーに変換され、
　前記熱転写ヘツドでフイルム状シートに１印画面分の印刷パターンを形成しながら印刷媒体の印画面上を覆うようにして、該シート上に所定の文字の繰り返しパターンの透かし模様や、市松模様、所定の凹凸模様などを形成する、印刷装置。」
　
　
（２）対比
　本願補正発明と刊行物１発明と対比する。
　
ア　刊行物１発明の
「画像データ」、
「（日付などの）文字データ」、
「画像読取装置から画像データおよび日付などの文字データを入力する入力手段」、
「画像処理装置」は、それぞれ、
　本願補正発明の
「画像情報」、
「（画像情報に関連する）付帯情報」及び「（画像情報に関連して読み込まれる）付属情報又は（画像情報に対して入力操作手段により入力され若しくは選択指定された）付加情報を含む付帯情報」、
「入力操作手段」、
「（画像情報とこれに関連する付帯情報を印刷媒体に形成するための）画像形成装置」
に相当する。
　
イ　刊行物１発明の「画像読取装置から画像データ（画像情報）および日付などの文字データ（付帯情報）を入力する入力手段（入力操作手段）と、該入力した画像データ（画像情報）および日付などの文字データ（付帯情報）を記憶するデータ記憶手段と、該記憶された画像データおよび日付などの文字データ（付帯情報）を表示する表示手段とを備えた画像処理装置」において、「入力した画像データ（画像情報）および日付などの文字データ（付帯情報）を記憶する」こと、及び、「記憶された画像データおよび日付などの文字データ（付帯情報）を表示する」ことの前提として、本願補正発明の「上記画像情報を受け取るとともに、当該画像情報に関連して読み込まれる付属情報又は当該画像情報に対して入力操作手段により入力され若しくは選択指定された付加情報を含む上記付帯情報を取得するための情報取得手段」に相当する手段を有しているといえる。
　また、本願補正発明において、発明特定事項とはなっていないものの、その実施の形態として、刊行物１発明の「該入力した画像データ（画像情報）および日付などの文字データ（付帯情報）を記憶するデータ記憶手段」及び「該記憶された画像データ（画像情報）および日付などの文字データ（付帯情報）を表示する表示手段」に相当する手段を有することは、本願明細書及び図面の記載（画像記憶手段６、画像表示部１０参照）から明らかである。
　
ウ　刊行物１発明の「前記文字データ（付帯情報）を貼り付ける位置、及び、文字の色を決定して、前記文字データ（付帯情報）を前記画像データ（画像情報）に貼り付ける貼付手段」と、
　本願補正発明の「上記γ変換手段によりγ変換が施された上記付帯情報をシート上に印画する時にはそれ以外の場所に印加する印加エネルギーとは異なる所定の印加エネルギーとなるように制御して付帯情報をシート上に透かし状に形成する制御手段」とは、
「付帯情報を処理する制御手段」である点で共通する。
　
エ　刊行物１発明の「該文字データが貼り付けられた画像データ（画像情報）を印刷する印刷手段」において、印刷手段が印刷媒体に印刷することは自明の事項であるから、
　刊行物１発明の「該文字データが貼り付けられた画像データ（画像情報）を印刷する印刷手段」と、
　本願補正発明の「上記画像情報を上記印刷媒体に印刷形成するとともに、画像印刷がなされた印刷媒体の表面をフィルム状シートで被覆して転移させるための転写ヘッドを含む印刷手段」とは、
「上記画像情報を上記印刷媒体に印刷形成する印刷手段」である点で共通する。
　
オ　上記ア〜エから、
　本願補正発明と、刊行物１発明とは、
「　画像情報とこれに関連する付帯情報を印刷媒体に形成するための、画像形成装置であって、
　上記画像情報を受け取るとともに、当該画像情報に関連して読み込まれる付属情報又は当該画像情報に対して入力操作手段により入力され若しくは選択指定された付加情報を含む上記付帯情報を取得するための情報取得手段と、
　上記画像情報を上記印刷媒体に印刷形成する印刷手段と、
　上記付帯情報を処理する制御手段とを設けた、画像形成装置。」
の点で一致し、下記の点で相違する。
　
［相違点１］：「画像情報を印刷媒体に印刷形成する印刷手段」に関して、
　本願補正発明は、「画像印刷がなされた印刷媒体の表面をフィルム状シートで被覆して転移させるための転写ヘッドを含む」のに対し、
　刊行物１発明は、「文字データ（付帯情報）が貼り付けられた画像データ（画像情報）を印刷する印刷手段」であって、「画像印刷がなされた印刷媒体の表面をフィルム状シートで被覆して転移させるための転写ヘッド」を有しない点。
　
［相違点２］：「画像形成装置」及び「付帯情報を処理する制御手段」に関して、
　本願補正発明では、「画像形成装置」が「付帯情報にγ変換を施すγ変換手段」を有し、「付帯情報を処理する制御手段」が「上記γ変換手段によりγ変換が施された上記付帯情報をシート上に印画する時にはそれ以外の場所に印加する印加エネルギーとは異なる所定の印加エネルギーとなるように制御して付帯情報をシート上に透かし状に形成する」のに対し、
　刊行物１発明では、「付帯情報にγ変換を施すγ変換手段」を有しておらず、「付帯情報を処理する制御手段」が「文字データ（付帯情報）を貼り付ける位置、及び、文字の色を決定して、前記文字データ（付帯情報）を前記画像データ（画像情報）に貼り付ける貼付手段」である点。
　　
（３）判断
　相違点１及び２について検討する。
　
ア　刊行物２には、
「プリントサンプルの風格を高め、印刷媒体自体の意匠的効果を向上させる」ことを目的とした（上記（２−ｂ）参照）、
「　インクリボン上に配された色インクＹ、Ｍ、Ｃ、Ｋで所定の印刷媒体の印画面上に所定の印刷を行うと共に、インクリボン上に色インクＹ、Ｍ、Ｃ、Ｋに続いて配されたフイルム状シートを熱転写ヘツドで印画面上に転写する印刷装置において、
　フイルム状シートを熱転写ヘツドで転写する際に、１印画面分の印刷パターンを記憶するラミネートメモリと、
　ＣＰＵの制御に基づいて設定された熱補正係数によつて、濃度通電時間変換すなわちγ補正を行う、γ補正回路とを設け、
　前記ラミネートメモリに所定の文字の繰り返しパターン等を表すラミネート印刷データを書き込んだ後、該ラミネート印刷データは、前記γ補正回路に送出され、該γ補正回路によりγ補正され、その結果得られる印刷出力データがサーマルヘッドコントローラによって印画エネルギーに変換され、
　前記熱転写ヘツドでフイルム状シートに１印画面分の印刷パターンを形成しながら印刷媒体の印画面上を覆うようにして、該シート上に所定の文字の繰り返しパターンの透かし模様や、市松模様、所定の凹凸模様などを形成する、印刷装置。」
の発明が記載されている（上記（１）（刊行物２について）参照）。
　
イ　刊行物１発明と、刊行物２発明とは、ともにカラー画像を印刷する印刷装置であって、刊行物１発明において、印刷物の意匠上の問題が把握されている（上記（１−ｂ）「構図上、日付の位置に大事な物が写っている場合、日付が障害となってせっかくの写真が価値のないものになってしまう場合があった。」参照）から、
　刊行物１発明において、「プリントサンプルの風格を高め、印刷媒体自体の意匠的効果を向上させる」ことを目的として、「文字データ（付帯情報）が貼り付けられた画像データ（画像情報）を印刷する印刷手段」及び「文字データ（付帯情報）を貼り付ける位置、及び、文字の色を決定して、前記文字データ（付帯情報）を前記画像データ（画像情報）に貼り付ける貼付手段（制御手段）」に代えて、
　刊行物２発明の
「フイルム状シートを熱転写ヘツドで転写する際に、１印画面分の印刷パターンを記憶するラミネートメモリと、
　ＣＰＵの制御に基づいて設定された熱補正係数によつて、濃度通電時間変換すなわちγ補正を行う、γ補正回路とを設け、
　前記ラミネートメモリに所定の文字の繰り返しパターン等を表すラミネート印刷データを書き込んだ後、該ラミネート印刷データは、前記γ補正回路に送出され、該γ補正回路によりγ補正され、その結果得られる印刷出力データがサーマルヘッドコントローラによって印画エネルギーに変換され、
　前記熱転写ヘツドでフイルム状シートに１印画面分の印刷パターンを形成しながら印刷媒体の印画面上を覆うようにして、該シート上に所定の文字の繰り返しパターンの透かし模様や、市松模様、所定の凹凸模様などを形成する」構成を採用することは、当業者が容易になし得たことである。
　
ウ　上記イの「フイルム状シートに１印画面分の印刷パターンを形成しながら印刷媒体の印画面上を覆う」「熱転写ヘツド」は、すなわち、「画像印刷がなされた印刷媒体の表面をフィルム状シートで被覆して転移させるための転写ヘッド」である。
　
エ　上記イの「ＣＰＵの制御に基づいて設定された熱補正係数によつて、濃度通電時間変換すなわちγ補正を行う、γ補正回路」とは、すなわち、「γ変換を施すγ変換手段」であるが、「濃度通電時間変換」によって補正・変換された「印画エネルギー」は、「濃度」に応じて多段階の値をとることとなり、必ずしも、「付帯情報をシート上に印画する時にはそれ以外の場所に印加する印加エネルギーとは異なる所定の印加エネルギーとなるように制御」することとはならない。
　しかしながら、刊行物１発明において、「制御手段」が処理する「付帯情報」は「日付などの文字データ」であるから、「日付などの文字データ」を処理する際に「濃度処理」や「階調処理」は不要であって、ラミネート転写のみで記録が不要か、それとも、記録が必要かの、２値制御で十分であることは、当業者にとって自明の技術的事項といえる。
　してみると、刊行物１発明に、刊行物２発明の構成を適用した際に、「上記γ変換手段によりγ変換が施された上記付帯情報をシート上に印画する時にはそれ以外の場所に印加する印加エネルギーとは異なる所定の印加エネルギーとなるように制御」することは、当業者が適宜なし得る設計的事項に過ぎない。
　
オ　そして、本願補正発明が奏する効果は、刊行物１及び２に記載された事項から予測し得る程度のものであって、格別のものではない。
　
カ　したがって、刊行物１発明において、「印刷手段」が「画像印刷がなされた印刷媒体の表面をフィルム状シートで被覆して転移させるための転写ヘッドを含む」ものとし、かつ、「付帯情報にγ変換を施すγ変換手段」を有し、「付帯情報を処理する制御手段」が「上記γ変換手段によりγ変換が施された上記付帯情報をシート上に印画する時にはそれ以外の場所に印加する印加エネルギーとは異なる所定の印加エネルギーとなるように制御して付帯情報をシート上に透かし状に形成する」ものとなすことは、当業者が刊行物１発明及び刊行物２発明に基づいて当業者が容易になし得たことである。
　
（４）まとめ
　以上のとおり、本願補正発明は、当業者が刊行物１に記載された発明及び刊行物２に記載された発明に基づいて容易に発明をすることができたものであるから、特許法第２９条第２項の規定により、特許出願の際独立して特許を受けることができない。
　
４．補正却下の決定についてのむすび
　以上述べたとおり、本件補正は、平成１８年法律第５５号改正附則第３条第１項によりなお従前の例によるとされる同法による改正前の特許法第１７条の２第４項の規定に違反しているか、または、平成１８年法律第５５号改正附則第３条第１項によりなお従前の例によるとされる同法による改正前の特許法第１７条の２第５項において準用する同法第１２６条第５項の規定に違反するものであるから、特許法第１５９条第１項において読み替えて準用する特許法第５３条第１項の規定により却下されるべきものである。
　
　
第３．本願発明について
１．本願発明
　平成２０年８月６日付けの手続補正は上記のとおり却下されたので、本願の請求項１〜１５に係る発明は、平成１９年６月２２日付けの手続補正によって補正された特許請求の範囲の請求項１〜１５に記載された事項により特定されるものであり、特に、請求項１に係る発明（以下「本願発明」という。）は、次のとおりである。
　
「　画像情報とこれに関連する付帯情報を印刷媒体に形成するための、画像形成装置であって、
　上記画像情報を受け取るとともに、当該画像情報に関連して読み込まれる付属情報又は当該画像情報に対して入力操作手段により入力され若しくは選択指定された付加情報を含む上記付帯情報を取得するための情報取得手段と、
　上記画像情報を上記印刷媒体に印刷形成するとともに、画像印刷がなされた印刷媒体の表面をフィルム状シートで被覆して転移させるための転写ヘッドを含む印刷手段と、
　上記付帯情報にγ変換を施すγ変換手段を有し、
　上記γ変換手段によりγ変換を施された上記付帯情報に応じて上記転写ヘッドの印加エネルギーを制御して、上記フィルム状シートの表面光沢に差異を生じさせることにより、上記付帯情報を当該シート上に透かし状に形成する制御手段とを設けた
　ことを特徴とする画像形成装置。」
　
２．引用刊行物
　これに対して、原査定の拒絶の理由に引用された引用された刊行物１〜２、及び、その記載事項は、前記「第２．３．（１−ａ）〜（２−ｅ）」で示したとおりである。
　
３．対比
　本願発明と刊行物１発明とを対比すると、上記「第２．３．（２）」の検討事項を踏まえれば、両者は、
「　画像情報とこれに関連する付帯情報を印刷媒体に形成するための、画像形成装置であって、
　上記画像情報を受け取るとともに、当該画像情報に関連して読み込まれる付属情報又は当該画像情報に対して入力操作手段により入力され若しくは選択指定された付加情報を含む上記付帯情報を取得するための情報取得手段と、
　上記画像情報を上記印刷媒体に印刷形成する印刷手段と、
　上記付帯情報を処理する制御手段とを設けた、画像形成装置。」
の点で一致し、下記の点で相違する。
　
［相違点Ａ］：「画像情報を印刷媒体に印刷形成する印刷手段」に関して、
　本願発明は、「画像印刷がなされた印刷媒体の表面をフィルム状シートで被覆して転移させるための転写ヘッドを含む」のに対し、
　刊行物１発明は、「文字データ（付帯情報）が貼り付けられた画像データ（画像情報）を印刷する印刷手段」であって、「画像印刷がなされた印刷媒体の表面をフィルム状シートで被覆して転移させるための転写ヘッド」を有しない点。
　
［相違点Ｂ］：「画像形成装置」及び「付帯情報を処理する制御手段」に関して、
　本願発明では、「画像形成装置」が「付帯情報にγ変換を施すγ変換手段」を有し、「付帯情報を処理する制御手段」が「上記γ変換手段によりγ変換を施された上記付帯情報に応じて上記転写ヘッドの印加エネルギーを制御して、上記フィルム状シートの表面光沢に差異を生じさせることにより、上記付帯情報を当該シート上に透かし状に形成する」のに対し、
　刊行物１発明では、「付帯情報にγ変換を施すγ変換手段」を有しておらず、「付帯情報を処理する制御手段」が「文字データ（付帯情報）を貼り付ける位置、及び、文字の色を決定して、前記文字データ（付帯情報）を前記画像データ（画像情報）に貼り付ける貼付手段」である点。
　
　
４．判断
（１）相違点Ｂについて
　まず、相違点Ｂに関して、「付帯情報に応じて上記転写ヘッドの印加エネルギーを制御して、上記フィルム状シートの表面光沢に差異を生じさせる」ことと、上記「第２．３．」で検討した相違点２の「付帯情報をシート上に印画する時にはそれ以外の場所に印加する印加エネルギーとは異なる所定の印加エネルギーとなるように」することとの差異について検討する。
　本願発明において、「フィルム状シート」は、「印刷媒体の表面を被覆し」かつ「転写ヘッドの印加エネルギーを制御して、表面光沢に差異を生じさせる」ものである。
　一方、刊行物２発明における「フィルム状シート」は、熱転写ヘッドで印画面状に転写してラミネートされ、かつ、印画エネルギーによって透かし模様が形成されるものであって、フィルム状シートの表面光沢に差異を生じさせるかどうかは不明である。
　しかしながら、本願発明と、刊行物２発明は、ともにフィルム状シートの転写を行う転写ヘッドの印加エネルギーを制御して付加情報を印画するものであって、フィルム状シートと転写ヘッドに関して両者に差異が認められない以上、刊行物２発明においても、「転写ヘッドの印加エネルギーを制御して、表面光沢に差異を生じさせる」ものであるというべきである。
　また、仮に、刊行物２発明において、「転写ヘッドの印加エネルギーを制御して、表面光沢に差異を生じさせる」ものでなかったとしても、「フィルム状シートの転写を行う転写ヘッドの印加エネルギーを制御して付加情報を印画するもの」において、転写ヘッドの印加エネルギーを制御によって、フィルム状シートの表面光沢に差異を生じさせることは、周知の技術的事項である（必要ならば、原審の拒絶理由通知にも引用された、特開平３−１５９７９５号公報（第３頁右上欄末行〜同頁左下欄第５行「（１）光沢の不均一：保護層を熱転写方法でサーマルヘッドで転写形成する場合、一定距離毎或は連続的に印加エネルギーを変化させることにより、第２図示の様に表面の光沢を任意の順序に不均一とすることが出来る。この場合、光沢を各種絵柄状に変化させることも可能である。」）参照）から、「付帯情報をシート上に印画する時にはそれ以外の場所に印加する印加エネルギーとは異なる所定の印加エネルギーとなるように」するか、それとも、「付帯情報に応じて上記転写ヘッドの印加エネルギーを制御して、上記フィルム状シートの表面光沢に差異を生じさせる」かは、単なる設計上の微差に過ぎない。
　
（２）まとめ
　相違点Ａは、上記「第２．３．」の相違点１と同じであり、相違点Ｂと上記「第２．３．」の相違点２とは、表現が異なるだけか、それとも、単なる設計上の微差であって、実質的に異ならない。
　したがって、上記「第２．３．」で本願補正発明について検討したのと同様に、本願発明は、当業者が刊行物１に記載された発明及び刊行物２に記載された発明に基づいて容易に発明をすることができたものである。
　
５．むすび
　以上のとおり、本願の請求項１に係る発明は、刊行物１に記載された発明及び刊行物２に記載された発明に基づいて当業者が容易に発明をすることができたものであるから、特許法第２９条第２項の規定により特許を受けることができない。
　したがって、その他の請求項に係る発明について検討するまでもなく、本願は拒絶すべきものである。
　
　よって、結論のとおり審決する。